(57)【要約】【課題】前部を開放して熱交換器および送風ファンを支持したベースに、前面パネルを容易に着脱できるようにした空気調和機を提供する。【解決手段】ベース４から前面パネル６を取り外す際、同前面パネル６の上面部９および平行面１０に矢印Ａで示すように上下から手指を掛けて摘むことにより、同平行面１０を上方に弾性変形させながら前記係止爪１から前記係止孔８を離脱させると共に、ガイド溝からガイド片を離脱させるようにした。これにより、前記ベース４から前面パネル６を取り外す時の作業性がよくなり、前記係止爪１や前記係止孔８に無理な外力が掛からないので、該箇所を損傷させてしまうといったおそれもなくなる。【選択図】  図４
2004251527.tif 000002
【特許請求の範囲】
【請求項１】
前部が開放され、熱交換器および送風ファンを支持したベースと、同ベースの前部に着脱可能に装着される前面パネルと、前記ベースの上部に設けられ、先端を前方に突出させた断面Ｌ字状のガイド片と、同ガイド片に対応して前記前面パネルに設けられ、外向きコ字状のガイド溝とからなるガイド部と、前記ベースの上部に上方に突設された係止爪と、同係止爪に対応して前記前面パネルに設けられ、前記係止爪に係脱可能に係止する係止孔を備え、前記前面パネルの上面部に平行な平行面を有する内向きコ字状の係止片とからなる係止部とで構成され、
前記ベースから前記前面パネルを取り外す際、前記上面部および前記平行面に手指を掛けて摘むことにより、同平行面を上方に弾性変形させながら前記係止爪から前記係止孔を離脱させると共に、前記ガイド溝から前記ガイド片を離脱させるようにしてなることを特徴とする空気調和機。
【請求項２】
前記係止爪に、前端が低くなるように傾斜させた傾斜面が設けられてなることを特徴とする請求項１に記載の空気調和機。
【請求項３】
前記平行面の後部が曲面状に形成されてなることを特徴とする請求項１に記載の空気調和機。
【請求項４】
前記平行面の前端下部に、前端が高くなるように傾斜させた傾斜面が設けられてなることを特徴とする請求項１に記載の空気調和機。
【請求項５】
前記係止爪および前記係止部が、前記ベースおよび前記前面パネルの左右方向に夫々複数づつ設けられてなることを特徴とする請求項１に記載の空気調和機。
【請求項６】
前記ガイド部が、前記係止爪および前記係止部の両側近傍に夫々設けられてなることを特徴とする請求項１または請求項５に記載の空気調和機。
【発明の詳細な説明】
【０００１】
【発明の属する技術分野】
本発明は、空気調和機に係わり、より詳細には、前部を開放して熱交換器および送風ファンを支持したベースに、前面パネルを容易に着脱できるようにした構造に関する。
【０００２】
【従来の技術】
従来の空気調和機には、前面パネルの上部引っかけ手段として、本体ボックス側には伸縮部と先端に傾斜部を備えたツメを、前面パネル側には押し当て面と傾斜を備えたツメを、それぞれ一体で複数個設けたので、前面パネルを傾けることなく本体ボックスと前面パネルのツメの係合ならびに解除を行なうことができる。その結果、空気調和機本体ボックスに対面する前面パネルの取付操作と取外操作を容易に行なうことができるようにしたものがあった（例えば、特許文献１参照。）。
【０００３】
しかしながら、上記構成でなる空気調和機は、本体ボックスと前面パネルの上部引っかけ手段が、弾性変形により前後に弾性変形することによって互いに係脱可能に係合しあう対をなすツメからなる構成となっているので、取外操作を行なう際、この対をなすツメを互いに引き離す方向に弾性変形させる必要があることから操作性が今ひとつよくないため、例えば片方の手指で上下に摘んで弾性変形させることによって引き離せるようにすることが望まれていた。
【０００４】
【特許文献１】
特開平１１−１５９７９５号公報（第５頁、第２図〜第３図）
【０００５】
【発明が解決しようとする課題】
本発明においては、上記の問題点に鑑み、前部を開放して熱交換器および送風ファンを支持したベースに、前面パネルを容易に着脱できるようにした空気調和機を提供することを目的とする。
【０００６】
【課題を解決するための手段】
本発明は、上記課題を解決するため、前部が開放され、熱交換器および送風ファンを支持したベースと、同ベースの前部に着脱可能に装着される前面パネルと、前記ベースの上部に設けられ、先端を前方に突出させた断面Ｌ字状のガイド片と、同ガイド片に対応して前記前面パネルに設けられ、外向きコ字状のガイド溝とからなるガイド部と、前記ベースの上部に上方に突設された係止爪と、同係止爪に対応して前記前面パネルに設けられ、前記係止爪に係脱可能に係止する係止孔を備え、前記前面パネルの上面部に平行な平行面を有する内向きコ字状の係止片とからなる係止部とで構成され、
前記ベースから前記前面パネルを取り外す際、前記上面部および前記平行面に手指を掛けて摘むことにより、同平行面を上方に弾性変形させながら前記係止爪から前記係止孔を離脱させると共に、前記ガイド溝から前記ガイド片を離脱させるようにしてなる構成となっている。
【０００７】
また、前記係止爪に、前端が低くなるように傾斜させた傾斜面が設けられてなる構成となっている。
【０００８】
また、前記平行面の後部が曲面状に形成されてなる構成となっている。
【０００９】
また、前記平行面の前端下部に、前端が高くなるように傾斜させた傾斜面が設けられてなる構成となっている。
【００１０】
また、前記係止爪および前記係止部が、前記ベースおよび前記前面パネルの左右方向に夫々複数づつ設けられてなる構成となっている。
【００１１】
更に、前記ガイド部が、前記係止爪および前記係止部の両側近傍に夫々設けられてなる構成となっている。
【００１２】
【発明の実施の形態】
以下、本発明の実施の形態を図面に基づいた実施例として詳細に説明する。
図１は本発明による空気調和機の断面図であり、図２は本発明による空気調和機の説明図で、（Ａ）は斜視図、（Ｂ）は吸込グリルを取り外した状態を示す斜視図であり、図３は図２（Ｂ）で示すａ部の説明図で、（Ａ）は係止片からなる係止部の斜視図、（Ｂ）は係止爪およびガイド片を示す斜視図であり、図４は本発明による空気調和機の要部説明図で、（Ａ）は係止部に係止爪を係止した状態を示す断面図、（Ｂ）は係止部から係止爪を離脱させた状態を示す断面図であり、図５は本発明による空気調和機の要部説明図で、（Ａ）はガイド溝にガイド片を係合させた状態を示す断面図、（Ｂ）はガイド溝からガイド片を離脱させた状態を示す断面図である。
【００１３】
本発明による空気調和機は、図で示すように、前部を開放したベース４に、吸込グリル６ａ’  が着脱可能に取り付けられた吸込口６ａを備えた上部パネル６ｂと、吹出口６ｃを備えた下部パネル６ｄとからなる前面パネル６が装着されている。
【００１４】
前記吸込口６ａおよび前記吹出口６ｃを結ぶ空気通路には、逆Ｖ字状に形成された熱交換器２と、送風ファン３とが設けられており、同送風ファン３により前記吸込口６ａから吸込まれた空気が、前記熱交換器２で熱交換されたのち、前記吹出口６ｃに送出されるようになっている。
【００１５】
そして、図５（Ａ）および図５（Ｂ）で示すように、前記ベース４の上部には、先端を前方に突出させた断面Ｌ字状のガイド片１２が設けられる一方、前記前面パネル６には、前記ガイド片１２に対応して外向きコ字状に形成されたガイド溝１３が設けられ、これらガイド片１２およびガイド溝１３により互いに係脱可能に係合するガイド部１４が構成されている。
【００１６】
また、図４（Ａ）および図４（Ｂ）で示すように、前記ベース４の上部をなす水平面７には、上方に突出させた係止爪１が設けられる一方、前記前面パネル６には、前記係止爪１に係脱可能に係止する係止孔８を備え、前記前面パネル６の上面部９に平行な平行面１０を有する内向きコ字状の係止片１１が設けられ、これら係止爪１および係止片１１により互いに係脱可能に係止する係止部５が構成されている。
【００１７】
上記構成により、前記ベース４に前記前面パネル６を装着する際、前記ガイド溝１３に前記ガイド片１２を係合すると共に、前記前面パネル６の上面部９およびこれに平行な平行面１０に、図４（Ａ）で示す矢印Ａのように上下から手指を掛けて摘むことにより、同平行面１０を上方に弾性変形させることによって、前記係止爪１を前記係止孔８に容易に、且つ正確に係止できるようになる。
【００１８】
以上の構成により、次にその動作について説明する。
上記に説明したとおり、図３（Ｂ）で示す前記ガイド片１２を、図５（Ａ）および図５（Ｂ）で示すガイド溝１３に係脱自在に係合することによって、前記ベース４に対し前記前面パネル６を正確に位置決めすると共に、前記係止片１１の平行面１０を弾性変形させながら、前記係止爪１を前記係止孔８に係脱自在に係止することにより前記ベース４に前記前面パネル６を装着できる。
【００１９】
また、前記ベース４から前記前面パネル６を取り外す際、図４（Ａ）および図４（Ｂ）と、図５（Ａ）および図５（Ｂ）とで示すように、前記上面部９および前記平行面１０に上下から手指を掛けて摘むことにより、同平行面１０を上方に弾性変形させながら前記係止爪１から前記係止孔８を離脱させると共に、前記ガイド溝１３から前記ガイド片１２を離脱させるようにする。
【００２０】
そして、前記水平面７および前記係止片１１を弾性変形させる際、図４（Ａ）で示す矢印Ａのように、前記上面部９および前記平行面１０に上下から手指を掛けて摘むことにより、前記平行面１０を弾性変形をさせるようにすればよい。
【００２１】
なお、前記係止爪１を前記係止孔８に係脱自在に係止させる際、図４（Ａ）および図４（Ｂ）で示すように、前記係止爪１に前端が低くなるように傾斜させた傾斜面１ａが形成されているので、該箇所を無理なくスライドさせて円滑に係止させることができるようになる一方、正確に係止させることによって、不意に離脱してしまうといった不測の事故を防止できるようになる。
【００２２】
また、前記水平面７および前記係止片１１を弾性変形させ、前記係止爪１を前記係止孔８に係脱自在に係止させる際、図４（Ａ）および図４（Ｂ）で示すように、前記係止片１１の後部１０ａ  が曲面状に形成されているので、弾性変形に耐えるように該箇所の強度を増強させることができるようになり、また、前記係止片１１の後部１０ａ  を前記傾斜面１ａに対して無理なく円滑にスライドさせることができるようになる。
【００２３】
また、前記平行面１０の前端下部に、前端が高くなるように傾斜させた傾斜面１０ｂ  が形成されることにより、該箇所に手指を掛けやくすなり、前記係止片１１を弾性変形させる上で手触りのよい構造になる。
【００２４】
そして、前記係止爪１および前記係止部５が、前記ベース４および前記前面パネル６の左右方向に夫々複数づつ設けられており、また、前記ガイド部１４が、前記係止爪１および前記係止部５の両側近傍に夫々設けられているので、前記係止部５に対し前記係止爪１の係止する時の作業性が向上し、且つ前記ベース４に対し前記前面パネル６を正確に、且つ強固に装着できるようになる。
【００２５】
【発明の効果】
以上説明したように、本発明によれば、前部を開放して熱交換器および送風ファンを支持したベースに、前面パネルを容易に着脱できるようにした空気調和機となる。
【図面の簡単な説明】
【図１】本発明による空気調和機の断面図である。
【図２】本発明による空気調和機の説明図で、（Ａ）は斜視図であり、（Ｂ）は吸込グリルを取り外した状態を示す斜視図である。
【図３】図２（Ｂ）で示すａ部の説明図で、（Ａ）は係止片からなる係止部の斜視図であり、（Ｂ）は係止爪およびガイド片を示す斜視図である。
【図４】本発明による空気調和機の要部説明図で、（Ａ）は係止部に係止爪を係止した状態を示す断面図であり、（Ｂ）は係止部から係止爪を離脱させた状態を示す断面図である。
【図５】本発明による空気調和機の要部説明図で、（Ａ）はガイド溝にガイド片を係合させた状態を示す断面図であり、（Ｂ）はガイド溝からガイド片を離脱させた状態を示す断面図である。
【符号の説明】
１  係止爪
１ａ  傾斜面
２  熱交換器
３  送風ファン
４  ベース
５  係止部
６  前面パネル
６ａ  吸込口
６ａ’  吸込グリル
６ｂ  上部パネル
６ｃ  吹出口
６ｄ  下部パネル
７  水平面
８  係止孔
９  上面部
１０  平行面
１０ａ  平行面（係止片）の後部
１０ｂ  傾斜面
１１  係止片
１２  ガイド片
１３  ガイド溝
１４  ガイド部
【図１】
2004251527.tif 000003
【図２】
2004251527.tif 000004
【図３】
2004251527.tif 000005
【図４】
2004251527.tif 000006
【図５】
2004251527.tif 000007